(57)【要約】【課題】地山の浸透水を排除し、のり面を拘束し、かつ施工性の高いのり面保護工法を提供する。【解決手段】のり面保護工法は、地山の掘削後、のり面（５）上に引張り強度と排水性とを有する土木シート（１）をかぶせ、土木シートがのり面に対して緊張を保持するように、所定の間隔をもって補強材（２）を設置して土木シートをのり面に貼り付け、土木シート上に壁面パネル（８）を設置し、土木シートと壁面パネルの間にコンクリート（９）を打設する。土木シートは、地山の浸透水を排除し、かつのり面の変形に対して拘束圧を加えることによりのり面を安定させる。【選択図】　図５
2004100276.tif 000002
【特許請求の範囲】
【請求項１】
地山の掘削後、のり面上に排水性を有する土木シートをかぶせ、
前記土木シートが前記のり面に対して緊張を保持するように、所定の間隔を空けて補強材を設置して前記土木シートを前記のり面に貼り付け、
前記補強材を、前記地山に挿入した後、先端部を拡大させ地山内に食い込ませることにより、地山から抜けないように設置し、
前記土木シートは、前記地山の浸透水を排除し、かつ前記のり面の変形に対して拘束圧を加えることにより前記のり面を安定させる、
ことを特徴とするのり面保護工法。
【請求項２】
前記補強材は中空であり、
前記補強材を頭部プレートを介してナットにより緊結することで、前記頭部プレートは前記挿入孔を塞ぎ、
前記補強材の中空部を通して前記挿入孔にグラウトを充填する、
ことを特徴とする請求項１に記載ののり面保護工法。
【請求項３】
前記土木シート貼り付け後、
前記土木シート上に壁面パネルを設置し、
前記土木シートと前記壁面パネルの間にコンクリートを打設する、
ことを特徴とする請求項１に記載ののり面保護工法。
【発明の詳細な説明】
【０００１】
【発明の属する技術分野】
本発明は地山の安定化に寄与するのり面保護工法に関する。
【０００２】
【従来の技術】
従来ののり面保護工法には、地山補強土工法やプレキャストコンクリートパネル工法などがある。
【０００３】
【発明が解決しようとする課題】
しかし、従来技術の地山補強土工法では、コンクリートまたはモルタルの吹付けが必要となるため、粉体が周囲に飛散し、周辺環境に悪影響を与える。また、この吹付けには大がかりな設備が必要である。鉄筋を心材とした場合、グラウト充填が不十分となることもある。
【０００４】
プレキャストコンクリートパネル（直設置）工法では、地山の浸透水を排除する適切な数の排水溝が必要となる。また、補強材の配置ピッチがパネルの寸法により制限されることから、自由度の高い設計ができない。
【０００５】
本発明の目的は、したがって、上記問題を解決し、地山の浸透水を適切に排除し、施工効率の高い地山ののり面保護工法を提供することである。
【０００６】
【課題を解決するための手段】
上記目的を達成するために、本発明ののり面保護工法は、地山の掘削後、のり面上に排水性を有する土木シートをかぶせ、土木シートがのり面に対して緊張を保持するように、所定の間隔を空けて補強材を設置して土木シートをのり面に貼り付け土木シート上に壁面パネルを設置し、土木シートと壁面パネルの間にコンクリートを打設する。土木シートは、地山の浸透水を排除し、かつのり面の変形に対して拘束圧を加えることによりのり面を安定させる。
【０００７】
【発明の実施の形態】
図１から図１１を参照し、本発明によるのり面保護工法の工程を説明する。
【０００８】
まず、図１に示すように、地山Ｇの１段目を掘削する。
【０００９】
次に、図２に示すように、掘削した１段目に土木シート１をかぶせる。このとき、土木シート１は掘削しようとするのり面の全高分をロール状にし、最上部をピンなどで固定して土木シート１を吊るすようにかぶせる。これにより、土木シート１のロール部の自重が土木シート１に適度の緊張を与える。
【００１０】
土木シート１には伸びが小さく、十分な引張り強度と排水性を有したもの、例えばタフネルＲＤ（商品名）、が使われる。土木シート１は透水性に優れた不織物から構成されているため、地山の浸透水を吸水し排除する。これにより、排水溝を設けなくても地山の浸透水を確実に排除することができる。
【００１１】
次に、図３で示すように、土木シート１を貼り付けるための補強材２（図４以下参照）を挿入する挿入孔６を掘削する。補強材２は土木シート１を緊張状態でのり面５に縫い付けるためのものであり、土木シート１ののり面拘束効果を発揮させるため、補強材２は複数のものをある程度密な間隔で設置することが望ましい。具体的な補強材２の設置間隔は設計事項であり、土質やのり面５の傾斜角などにより異なるが、概ね高さ方向に１〜１．５メートル間隔、施工延長方向に１〜２メートル間隔で設置される。これにより、のり面５が変形したとき、反作用としてのり面５に拘束力を付与し、のり面５の安定化に寄与する。
【００１２】
次に、図４で示すように、土木シート１を貫通して補強材２を挿入する。図１２で示すように、補強材２の挿入側の先端は、補強材の挿入後、拡大するようになっている。これにより、補強材２の挿入側の先端が地山内に食い込み、補強材２が抜けないように拘束する。また、補強材２の内側は中空になっており、この中空部を通して挿入孔６にグラウトが充填される。
【００１３】
次に、図５に示すように、補強材２ののり面から突出した頭部１２を土木シート１の上から頭部プレート３を介してナット４で締結する。頭部プレート３は挿入孔６の挿入口をよりも大きく形成されているため、ナット４が締結されたとき、頭部プレート３は挿入孔６の挿入口を完全に塞ぐ。補強材２の挿入部分の先端は拡大しているため、ネット４を締結しても補強材２が挿入孔から抜けることなく、頭部プレート３が土木シート１をのり面５上に押圧し、土木シート１をのり面５上に縫いつけるように固定する。
【００１４】
次に、図６に示すように、挿入孔６にグラウトを注入する。補強材２は中空になっているため、かつ、頭部プレート３が挿入孔１０の入口を塞いでいるため、挿入孔６にはグラウトが確実に充填される。
【００１５】
次に、図７に示すように、挿入孔６に充填したグラウトが固化した後、ナット４をさらに締結する。これにより、のり面５にプレストレスを与え、のり面５を安定化させる。その後、鉄筋網を土木シート１上に敷き、補強材２の頭部１２に結束させて設置する。
【００１６】
次に、１段目の下方へと２段目を掘削し、上述の作業を繰り返して土木シート１を設置する。先に掘削した１段目ののり面５は土木シート１と補強材２により拘束され安定しているため、２段目の施工時におけるのり面５の安定性を確保することができる。ここで、図１０に示すように、掘削作業は完了となる。
【００１７】
最後に、図１１で示すように、土木シート１の上に壁面パネル８を設置し、土木シート１と壁面パネル８の間に裏込めコンクリートを打設する。この壁面パネルの設置は公知のプレキャストコンクリートパネル工法と同じであり、ここでは詳述しない。
【００１８】
本発明を、構造的と方法的特徴に関してある程度特定的な言葉で説明したが、本明細書に開示した手段は本発明を実施する好ましい形態を含むものであり、本発明はこれら図示し記載された特定の特徴に制限されない。したがって、本発明は、均等の原則に従って適切に解釈される特許請求の範囲に記載された範囲内におけるいかなる形態または変更についても含むものである。
【００１９】
【発明の効果】
本発明によるのり面保護工法による効果を以下に列挙する。
【００２０】
軽量で運搬性の良い土木シートを使用するため、搬入や設置に手間がかからず、施工性が向上する。また、コンクリート吹付け工程を含まないため、大がかりな装置は必要なく、周辺環境への影響も少ない。
【００２１】
土木シートは排水性に優れているため、地山の浸透水を確実に排除し、地山を安定化させる。
【００２２】
壁面パネル設置前に全掘削工程が終了するので、掘削とコンクリート吹付けを交互に行う従来技術の工法に比べ作業効率が向上する。
【００２３】
従来技術の逆巻き施工によるプレキャストコンクリートパネル設置工法に比べ、施工の一般性が高く、専業者でなくても施工することができる。また、補強材の配置ピッチに制限が無いため、設計の自由度が高まる。
【図面の簡単な説明】
【図１】本発明ののり面保護工法による、１段目を掘削する工程を説明する図である。
【図２】本発明ののり面保護工法による、土木シートを張る工程を説明する図である。
【図３】本発明ののり面保護工法による、補強材の挿入孔を削孔する工程を説明する図である。
【図４】本発明ののり面保護工法による、補強材を挿入する工程を説明する図である。
【図５】本発明ののり面保護工法による、補強材のナットを緊結する工程を説明する図である。
【図６】本発明ののり面保護工法による、グラウド充填工程を説明する図である。
【図７】本発明ののり面保護工法による、鉄筋網設置工程を説明する図である。
【図８】本発明ののり面保護工法による、２段目を掘削する工程を説明する図である。
【図９】本発明ののり面保護工法による、２段目ののり面に図２〜図７の工程を繰り返し行う工程を説明する図である。
【図１０】本発明ののり面保護工法による、掘削完了後ののり面を説明する図である。
【図１１】本発明ののり面保護工法による、壁面パネル設置工程を説明する図である。
【図１２】本発明で使用する補強材の図である。
【符号の説明】
１　土木シート
２　補強材
３　頭部プレート
４　ナット
５　のり面
６　挿入孔
７　鉄筋網
８　壁面パネル
９　裏込めコンクリート
１１　先端部
１２　頭部
【図１】
2004100276.tif 000003
【図２】
2004100276.tif 000004
【図３】
2004100276.tif 000005
【図４】
2004100276.tif 000006
【図５】
2004100276.tif 000007
【図６】
2004100276.tif 000008
【図７】
2004100276.tif 000009
【図８】
2004100276.tif 000010
【図９】
2004100276.tif 000011
【図１０】
2004100276.tif 000012
【図１１】
2004100276.tif 000013
【図１２】
2004100276.tif 000014